(57)【特許請求の範囲】
【請求項１】
閉鎖空間を形成した箱型の車体が荷台車両に載置され、該車体の内部に書類処理システムを配置した機密抹消システム車両であって、
該書類処理システムは、
書類収容箱を回転させながら上昇させ、該書類収容箱の上部開口から内部の書類を排出する第１昇降機と、
前記書類収容箱から排出された書類が投入される投入槽を上昇させ、該投入槽の側面を開いて内部の書類を排出する第２昇降機と、
前記投入槽から排出された書類を裁断するシュレッダと、
該シュレッダによって裁断された裁断物を該車両の外部に排出する排出手段とを備えることを特徴とする機密抹消システム車両。
【請求項２】
前記第１昇降機は、地面に当接又は近接可能な底板を有するラックを備え、該ラックの底板に前記書類収容箱が載置されることを特徴とする請求項１に記載の機密抹消システム車両。
【請求項３】
前記排出手段は、
前記シュレッダから排出された裁断物を搬送するスクリューコンベヤと、
該スクリューコンベヤで搬送された裁断物を該車両の外部に排出する床面自動可動装置とで構成されることを特徴とする請求項１又は２に記載の機密抹消システム車両。
【請求項４】
前記書類収容箱は、電磁ロックにより蓋が開閉可能であり、前記第１昇降機のラックの底板に前記書類収容箱が載置された際に該電磁ロックが解除されることを特徴とする請求項１、２又は３に記載の機密抹消システム車両。
【請求項５】
前記書類収容箱は、該書類収容箱に投入される書類を光学的に走査して画像データを得るスキャニング手段を備えることを特徴とする請求項１乃至４のいずれかに記載の機密抹消システム車両。
【発明の詳細な説明】
【技術分野】
【０００１】
本発明は、機密書類等を廃棄処理する機密抹消システム車両に関する。
【背景技術】
【０００２】
従来、機密性の高い文書等をシュレッダで裁断して廃棄しているが、シュレッダにより裁断された書類は、元の容積に比較して大幅に容積が増加するため、処理に多大の労力を要する。また、機密書類等を廃棄する際には書類が露出しないよう機密性を保持する必要もある。
【０００３】
そこで、特許文献１には、箱型の車体の内部空間を前部から順に作業員が働く破砕作業室、被破砕物を投入、細断する破砕機室、細断物を圧縮、集積する細断物積載室に区画し、投入部の下方に２軸破砕刃からなる破砕部を設け、その下部に細断された文書屑を細断物積載室に集積、搬送する圧縮搬送部を設け、圧縮搬送部の排出口を細断物積載室の床面上に開口させた廃棄物破砕車が提案されている。
【０００４】
また、特許文献２には、保管場所の直近で段ボールに入れたままの機密書類等を投入可能な破砕機側投入口を備え、書類を破砕する破砕機と、破砕機に裁断された書類を擂り潰す擂潰機とを備えた車載書類処理システムが提案されている。
【先行技術文献】
【特許文献】
【０００５】
【特許文献１】特開２００５−８１２０２号公報
【特許文献２】特開２０１４−１８７１５号公報
【発明の概要】
【発明が解決しようとする課題】
【０００６】
しかし、上記特許文献１に記載された廃棄物破砕車や、特許文献２に記載された車載書類処理システムを搭載した車両では、作業員が車体の内部で作業をしたり、機密書類等を入れた段ボールを車載書類処理システムの破砕機側投入口に持ち上げて投入する必要があるなど、処理作業に多大の労力を要し改善の余地があった。
【０００７】
また、従来の廃棄処理では、機密書類等の束や、機密書類等を入れた段ボールを破砕しているが、機密書類が作業員の目に触れることもあり機密性に問題がある。また、段ボールを用いる場合でも、段ボールの購入費や、段ボールに機密書類等を梱包する作業が必要となる。
【０００８】
さらに、大型の書類処理車両を用いて大量の書類を処理することで処理コストを低減することも考えられるが、わが国の道路事情では、都心の地下駐車場に入る場合等を考慮すると車高をあまり高くすることができず、処理車両の大型化を図ることは困難である。
【０００９】
そこで、本発明は、上記従来の問題点に鑑みてなされたものであって、処理作業に要する労力を最小限に抑え、機密性を保持し、車高を低くして車両を大型化することなく処理コストを低く抑えることのできる機密抹消システム車両を提供することを目的とする。
【課題を解決するための手段】
【００１０】
上記目的を達成するため、本発明の機密抹消システム車両は、閉鎖空間を形成した箱型の車体が荷台車両に載置され、該車体の内部に書類処理システムを配置した機密抹消システム車両であって、該書類処理システムは、書類収容箱を回転させながら上昇させ、該書類収容箱の上部開口から内部の書類を排出する第１昇降機と、前記書類収容箱から排出された書類が投入される投入槽を上昇させ、該投入槽の側面を開いて内部の書類を排出する第２昇降機と、前記投入槽から排出された書類を裁断するシュレッダと、該シュレッダによって裁断された裁断物を該車両の外部に排出する排出手段とを備えることを特徴とする。
【００１１】
本発明によれば、書類収容箱を回転させながら上昇させる第１昇降機と、書類収容箱から排出された書類が投入される投入槽を上昇させる第２昇降機等を備えるため、書類処理システムをコンパクトに構成することができ、これにより機密抹消システム車両の車高を低くし、車体を大型化することなく大量の書類を効率よく自動的に処理することができる。
【００１２】
上記機密抹消システム車両において、前記第１昇降機は、地面に当接又は近接可能な底板を有するラックを備え、該ラックの底板に前記書類収容箱を載置することができる。これにより、書類収容箱を地面上で水平に移動させるだけで容易に書類処理システムに供給することができ、供給後はすべて自動で処理することができる。
【００１３】
また、前記排出手段を前記シュレッダから排出された裁断物を搬送するスクリューコンベヤと、該スクリューコンベヤで搬送された裁断物を該車両の外部に排出する床面自動可動装置とで構成することができ、床面自動可動装置を用いることで、車体内部のスペースを最大限有効に利用することができる。
【００１４】
さらに、前記書類収容箱の蓋を電磁ロックにより開閉可能とし、前記第１昇降機のラックの底板に前記書類収容箱が載置された際に該電磁ロックが解除されるように構成することができる。
【００１５】
また、前記書類収容箱を、該書類収容箱に投入される書類を光学的に走査して画像データを得るスキャニング手段を備えるように構成することができ、誤廃棄等に対応することができる。
【発明の効果】
【００１６】
以上のように、本発明によれば、大量の書類を効率よく自動的に処理することができ、機密性を保持し、車高を低くして車両を大型化することなく処理コストを低く抑えることのできる機密抹消システム車両を提供することができる。
【図面の簡単な説明】
【００１７】
【図１】本発明に係る機密抹消システム車両の一実施の形態を示す一部破断平面図であって、車体の内部を示す図である。
【図２】本発明に係る機密抹消システム車両の一部破断側面図である。
【図３】本発明に係る機密抹消システム車両の動作説明図である。
【図４】本発明に係る機密抹消システム車両の動作説明図である。
【図５】本発明に係る機密抹消システム車両で用いる書類収容箱を示す図であって、（ａ）は正面図、（ｂ）は側面図、（ｃ）は上面図である。
【図６】本発明に係る機密抹消システム車両の動作説明図である。
【図７】本発明に係る機密抹消システム車両の動作説明図である。
【図８】本発明に係る機密抹消システム車両の動作説明図である。
【発明を実施するための形態】
【００１８】
次に、本発明を実施するための形態について図面を参照しながら詳細に説明する。
【００１９】
図１〜図３は、本発明に係る機密抹消システム車両の一実施の形態を示し、この機密抹消システム車両１は、運転席部２の後方の荷台車両３に載置された箱型の車体４の内部に、書類収容箱３０を昇降させる第１昇降機１１と、投入槽１４を昇降させる第２昇降機１３と、シュレッダ１６と、スクリューコンベヤ１７と、床面自動可動装置（アクティブフロア）１８等を備える。
【００２０】
車体４は、閉鎖空間を形成した箱型であって、運転席部２側の床面４ａに上記第１昇降機１１及び第２昇降機１３が配置され、その後方の床面１８ａに床面自動可動装置１８を備える。
【００２１】
第１昇降機１１は、ラック１９を介して書類収容箱３０を昇降させるために設けられ、モータ１１ａが回転することで、回転軸１１ｃが回転し、さらに回転軸１１ｃの両端に装着された鎖車（不図示）が回転することで無端状チェーン１１ｂが回転する。また、第１昇降機１１には、図示を省略するが、ラック１９が回転しながら昇降するように回転機構が設けられる。
【００２２】
ラック１９は、底板を兼ねるロードセル１９ｃが設けられ、ロードセル１９ｃの底面は地面に当接又は近接可能に構成される。ラック１９は、モータ１９ｆによって回転する複数の棒状の把持部材１９ｂを備え、背板１９ａと協働して書類収容箱３０を把持する。一対の取付部１９ｄが第１昇降機１１の無端状チェーン１１ｂに固定され、無端状チェーン１１ｂの移動と共に取付部１９ｄを介してラック１９が回転しながら昇降する。尚、複数の棒状の把持部材１９ｂに代えて書類収容箱３０を面で把持するように構成することもできるが、複数の棒状の把持部材１９ｂの方が線で安定して支持することができ好ましい。また、線で支持する代わりに棒状の把持部材１９ｂに突出部等を設けて点で支持しても安定して支持することができる。
【００２３】
第２昇降機１３は、車体４の床面４ａ上に載置された投入槽１４を昇降させるために備えられ、モータ１３ａによって回転する無端状チェーン１３ｂに固定された取付部１３ｃが投入槽１４の取付部１４ｃに連結される。
【００２４】
シュレッダ１６は、投入槽１４から排出された書類を裁断するために設けられ、油圧モーター１６ａによってカッター軸１６ｂが回転し、カッター軸１６ｂの回転により多数のカッター１６ｃが往復運動して書類を裁断する 。シュレッダー１６の投入口１６ｄには、図示を省略するが、書類を定量供給するための機構が設けられ、例えば、投入槽１４から書類の塊が直接のカッター軸１６ｂに直接供給されるのを防止するための可動爪部材等が設けられる。
【００２５】
スクリューコンベヤ１７は、シュレッダ１６から排出された裁断物を床面自動可動装置１８まで搬送するために設けられる。スクリューコンベヤ１７は、シュレッダ１６と同期して運転される。
【００２６】
床面自動可動装置１８は、スクリューコンベヤ１７で搬送された裁断物をこの車両１の外部に排出するために設けられる。床面自動可動装置１８は、床面１８ａに敷設された複数のレール床１８ｂが往復運動するものであって、スクリューコンベヤ１７で搬送された裁断物を徐々に図１の右方に移動させ、最終的に機密抹消システム車両１の外部に排出する。
【００２７】
書類収容箱３０は、図５に示すように、箱状の本体３０ａと蓋３０ｄとで構成され、蓋３０ｄに書類を投入するための投入口３０ｂと、本体３０ａの底面に４つのキャスター３０ｃを備える。本体３０ａの上部開口を閉じる蓋３０ｄは、電磁ロックによって自動解除・自動施錠できるように構成される。投入口３０ｂには、図示を省略するが、投入口３０ｂに投入される書類を光学的に走査して画像データを得るスキャニング手段が設けられる。
【００２８】
投入槽１４は、上方に開口部１４ａを有する箱状に形成され、図４に示すように、側板１４ｂが開いて書類をシュレッダ１６に排出することができる。図８に示すように、投入槽１４を車体４の幅方向かつ水平方向（矢視方向）に揺動させる揺動機構（不図示）が設けられる。
【００２９】
車体４の内部には中仕切り２０が設けられ、中仕切り２０には、スクリューコンベヤ１７が貫通し、点検天板（不図示）が設けられる。また、車体４の内部には、上記装置に加え、室内カメラ、換気用ベンチレータ等が設けられ、車体４の後部ドアは２枚観音式ドアになっている。
【００３０】
さらに機密抹消システム車両１には、上記各装置を制御したり、積載状況監視モニター、処理モニター、作業日時記録、書類収容箱３０の計量記録を行うために制御装置（不図示）が設けられ、また、セキュリティ保持のため、及び安全な処理を確保するために必要な非常停止スイッチ、計器類等が搭載される。
【００３１】
次に、上記構成を有する機密抹消システム車両１の動作について説明する。
【００３２】
書類収容箱３０は、顧客の事業所等に置かれ、顧客は廃棄すべき機密書類等を書類収容箱３０の投入口３０ｂから投入する。この際、スキャニング手段によって投入口３０ｂから投入された書類を光学的に走査し、画像データを得て書類収容箱３０に設けられた記録部に記録したり、画像データをインターネットを介して所定のサーバに送信して記録する。尚、電磁ロックにより顧客の事業所等では書類収容箱３０の蓋３０ｄを開くことはできない。
【００３３】
機密抹消システム車両１の作業員は、定期的又は顧客の求めに応じて機密書類の入った書類収容箱３０を回収し、その場で、以下のようにして書類収容箱３０の中の書類を廃棄処理する。
【００３４】
図６に示すように、事業所等から運び出した書類収容箱３０をラック１９のロードセル１９ｃ上に載置する。これにより、ロードセル１９ｃによって書類収容箱３０の重量が測定され、日時、場所等のデータと共に制御装置の記録部に記録される。また、この状態で、電磁ロックが解除されて蓋３０ｄを開くことができる。
【００３５】
重量測定後、作業員によって蓋３０ｄが取り除かれると共に、定書類収容箱３０はラック１９の背板１９ａと把持部材１９ｂとの間（図２参照）に把持され、また、把持部材１９ｇによって書類収容箱３０の上部を把持する。第１昇降機１１のモータ１１ａが回転して回転軸１１ｃが回転し、さらに回転軸１１ｃの両端に装着された鎖車を介して無端状チェーン１１ｂが回転することで、取付部１９ｄを介してラック１９が上昇する。
【００３６】
書類収容箱３０の上昇過程で、図７に示すように、回転機構によって書類収容箱３０が時計回りに回転し、最終的に書類収容箱３０が最も上昇した位置で水平な状態となり、図８に示すように、さらに書類収容箱３０が時計回りに回転し、書類収容箱３０の上部開口より書類が投入槽１４に投入される。投入槽１４は、図８において水平方向（矢視方向）に揺動し、書類を均等に収納する。投入槽１４への書類の投入が完了すると、書類収容箱３０は上記とは逆の動作をして元の位置に戻る。
【００３７】
次に、図３に示すように、第２昇降機１３のモータ１３ａが回転し、床面４ａ上に載置された投入槽１４が上昇し、図４に示すように、投入槽１４が最も上昇した位置で側板１４ｂが開き、定量供給機構によって投入槽１４内の書類がシュレッダ１６に定量供給される。
【００３８】
投入槽１４からシュレッダ１６に供給された書類は、図３に示すように、油圧モーター１６ａによってカッター軸１６ｂを介して往復運動する多数のカッター１６ｃによって裁断される。
【００３９】
シュレッダ１６による裁断物は、スクリューコンベヤ１７を経て床面自動可動装置１８によって機密抹消システム車両１の外部へ排出される。
【００４０】
以上のように、本発明によれば、第１昇降機１１によって縦長の書類収容箱３０を回転させながら上昇させ、書類収容箱３０から書類を投入槽１４に投入して第２昇降機１３で上昇させてシュレッダ１６に投入するため、書類処理システムをコンパクトに構成することができ、機密抹消システム車両１の車高を低くして、車体４を大型化することなく大量の書類を効率よく自動的に処理することができる。
【００４１】
また、ラック１９のロードセル１９ｃが地面に当接又は近接可能であるため、ロードセル１９ｃに書類収容箱３０を載置し、電磁ロックが解除された蓋３０ｄを取り除くだけで、その後何ら作業をする必要がなくすべて自動で処理できるため、処理作業に要する労力を大幅に軽減することができる。
【００４２】
また、床面自動可動装置１８を用いることで、車体内部のスペースを最大限有効に利用することができ、大量の裁断物を積載することができる。
【００４３】
さらに、第１昇降機１１によって書類収容箱３０を載置した際にのみ蓋３０ｄを電磁ロックの解除により開くため、機密性を高めることができる。
【００４４】
また、スキャニング手段によって書類収容箱３０に投入される書類の画像データを得ることで誤廃棄に対応することができると共に、その際に、裁断した時刻や裁断者等をデータとして残すことで機密書類等の取り扱いを厳重に監視することができる。
【００４５】
尚、上記実施の形態においては、蓋３０ｄを電磁ロックを用いて開閉する書類収容箱３０に投入された書類を処理する場合について説明したが、必ずしも電磁ロックを装備する必要はなく、書類を収容した段ボール箱そのものを直接処理することもできる。
【００４６】
また、スキャニング手段を設けた方が機密書類等の取り扱いを厳重に監視することができて好ましいが、必ずしもスキャニング手段を設ける必要はなく、裁断に関するデータを残すことなく書類収容箱３０に投入された書類の廃棄のみを行うこともできる。
【００４７】
さらに、スクリューコンベヤ１７に代えてブッシュ式のチェーンコンベア等他の形式のコンベアを用いることもでき、床面自動可動装置１８を設けずに、単なる傾斜面としてもよい。
【符号の説明】
【００４８】
１  機密抹消システム車両
２  運転席部
３  荷台車両
４  車体
４ａ  床面
１１  第１昇降機
１１ａ  モータ
１１ｂ  無端状チェーン
１１ｃ  回転軸
１３  第２昇降機
１３ａ  モータ
１３ｂ  無端状チェーン
１３ｃ  取付部
１４  投入槽
１４ａ  開口部
１４ｂ  側板
１４ｃ  取付部
１６  シュレッダ
１６ａ  油圧モーター
１６ｂ  カッター軸
１６ｃ  カッター
１６ｄ  投入口
１７  スクリューコンベヤ
１８  床面自動可動装置
１８ａ  床面
１８ｂ  レール床
１９  ラック
１９ａ  背板
１９ｂ  把持部材
１９ｃ  ロードセル
１９ｄ  取付部
１９ｆ  モータ
１９ｇ  把持部材
２０  中仕切り
３０  書類収容箱
３０ａ  本体
３０ｂ  投入口
３０ｃ  キャスター
３０ｄ  蓋
【図１】
0006460831.tif 000002
【図２】
0006460831.tif 000003
【図３】
0006460831.tif 000004
【図４】
0006460831.tif 000005
【図５】
0006460831.tif 000006
【図６】
0006460831.tif 000007
【図７】
0006460831.tif 000008
【図８】
0006460831.tif 000009